(57)【要約】【課題】  ２層式光ディスクの一方の信号記録層に記録されている信号の再生動作を行う場合に他方の信号記録層から反射される迷光がトラッキング制御動作に悪影響を与えるという問題がある。【解決手段】  信号記録層にレーザー光を集光させる対物レンズ８と、レーザー光からメインビームとサブビームを生成させる回折格子２と、フォーカシング制御動作が行われている信号記録層である動作信号記録層から反射されるサブビームが照射されるとともにトラッキングエラー信号を生成するサブビーム用受光部と動作信号記録層から反射されるメインビームが照射されるとともに再生信号を生成するメインビーム用受光部より成る光検出器１０を備え、フォーカシング制御動作が行われていない信号記録層である不動作信号記録層から反射されるメインビームを前記メインビーム用受光部に集光させる。【選択図】  図１
2008269706.tif 000002
【特許請求の範囲】
【請求項１】
第１信号記録層及び第２信号記録層を備えた２層式光ディスクに記録されている信号を読み出すために各信号記録層にレーザー光を集光させる対物レンズと、レーザー光が入射されるとともに０次光であるメインビーム、＋１次光及び−１次光であるサブビームを生成させる回折格子と、フォーカシング制御動作が行われている信号記録層である動作信号記録層から反射されるサブビームが照射されるとともにトラッキングエラー信号を生成するサブビーム用受光部と動作信号記録層から反射されるメインビームが照射されるとともに再生信号を生成するメインビーム用受光部より成る光検出器を備えた光ピックアップ装置であり、フォーカシング制御動作が行われていない信号記録層である不動作信号記録層から反射されるメインビームを前記メインビーム用受光部に集光させるようにしたことを特徴とする光ピックアップ装置。
【請求項２】
不動作信号記録層から反射されるメインビームを前記メインビーム用受光部に集光させる回折格子を対物レンズに形成したことを特徴とする請求項１に記載の光ピックアップ装置。
【請求項３】
サブビーム用受光部及びメインビーム用受光部から得られる信号からトラッキングエラー信号を生成するようにしたことを特徴とする請求項１に記載の光ピックアップ装置。
【発明の詳細な説明】
【技術分野】
【０００１】
本発明は、光ディスクに記録されている信号の読み出し動作を行う光ピックアップ装置に関する。
【背景技術】
【０００２】
光ピックアップ装置から照射されるレーザー光を光ディスクに設けられている信号記録層に照射することによって信号の読み出し動作を行うことが出来る光ディスク装置が普及している。
【０００３】
光ディスク装置としては、ＣＤやＤＶＤと呼ばれる光ディスクを使用するものが一般に普及しており、ＣＤ規格の光ディスクに記録されている信号の読み出し動作を行うレーザー光としては、波長が７８０ｎｍである赤外光が使用され、ＤＶＤ規格の光ディスクに記録されている信号の読み出し動作を行うレーザー光としては、波長が６５０ｎｍの赤色光が使用されている。
【０００４】
そして、前記ＣＤ規格の光ディスクにおける信号記録層の上面に設けられている保護層の厚さは１．２ｍｍであり、この信号記録層から信号の読み出し動作を行うために使用される対物レンズの開口数は０．４５と規定されている。また、ＤＶＤ規格の光ディスクにおける信号記録層の上面に設けられている保護層の厚さは０．６ｍｍであり、この信号記録層から信号の読み出し動作を行うために使用される対物レンズの開口数は０．６と規定されている。
【０００５】
このように規格の異なる光ディスクに記録されている信号の読み出し動作や信号の記録動作を行うことが出来る光ピックアップ装置においては、１つの対物レンズによってＣＤ規格及びＤＶＤ規格の光ディスクに設けられている信号記録層に異なる波長のレーザー光を集光させるように構成されている。異なる波長のレーザー光を各光ディスクに設けられている信号記録層に集光させる方法として対物レンズに輪帯状の回折格子を形成することが一般に行われている。（特許文献１参照。）
信号記録層に記録されている信号の光ピックアップ装置による読み出し動作は、レーザーダイオードから放射されるレーザー光を信号記録層に照射させ、該信号記録層から反射されるレーザー光の変化を光検出器によって検出することによって行われている。
【０００６】
レーザー光によって信号記録層に記録されている信号を読み出すためには、レーザー光を信号記録層に集光させるフォーカシング制御動作及び信号記録層に渦巻き状に設けられている信号トラックにレーザー光を追従させるトラッキング制御動作を正確に行う必要がある。
【０００７】
斯かるフォーカシング制御動作を行う方法としては、種々あるが非点収差の発生を利用した非点収差法が一般的に行われている。また、トラッキング制御方法としても種々あるが、メインビームと２つのサブビームを使用する３ビーム法が一般的に行われている。斯かるフォーカシング制御動作に利用される非点収差法及びトラッキング制御動作に利用される３ビーム法は、共に周知であるのでその説明は省略する。
【０００８】
また、最近では、信号記録層が１層ではなく２層設けられている光ディスクが製品化されており、斯かる光ディスクに設けられている信号記録層に記録されている信号の読み出し動作を行うことが出来る光ピックアップ装置も製品化されている。
【０００９】
２層式の光ディスクに記録されている信号の読み出し動作を行う場合、読み出し動作が行われている方の信号記録層へのフォーカシング制御動作及びトラッキング制御動作が行われるが、読み出し動作が行われていない方の信号記録層から反射されるレーザー光、所謂迷光と呼ばれる光がトラッキング制御動作に使用されるトラッキングエラー信号を生成する光検出器に照射され、この迷光によってトラッキングエラー信号にオフセットが発生したり、振幅変動が発生し、トラッキング制御動作が不安定になるという問題がある。
【００１０】
斯かる問題を解決する技術として光ピックアップ装置が組み込まれる光ディスク装置において、２つの光検出器から得られる信号を減算処理することによって迷光による影響を無くした技術が開発されている。（特許文献２参照。）
【特許文献１】特開２０００−８１５６６号公報
【特許文献２】特開平９−１６１２９５号公報
【発明の開示】
【発明が解決しようとする課題】
【００１１】
前述した特許文献２にて示した従来技術は、光ピックアップ装置が組み込まれる光ディスク装置側において行われる改良であり、光ピックアップ装置に組み込まれている光検出器等の特性にバラツキがあると光ディスク装置側では対処が困難になる。斯かる問題は、光ピックアップ装置の製造会社の責任であり、特性の向上が要求されている。
【００１２】
本発明は、２層式光ディスクを使用する場合に発生する問題、即ち迷光によってトラッキング制御動作が不安定になるという問題を解決することが出来る光ピックアップ装置を提供しようとするものである。
【課題を解決するための手段】
【００１３】
本発明は、第１信号記録層及び第２信号記録層を備えた２層式光ディスクに記録されている信号を読み出すために各信号記録層にレーザー光を集光させる対物レンズと、レーザー光が入射されるとともに０次光であるメインビーム、＋１次光及び−１次光であるサブビームを生成させる回折格子と、フォーカシング制御動作が行われている信号記録層である動作信号記録層から反射されるサブビームが照射されるとともにトラッキングエラー信号を生成するサブビーム用受光部と動作信号記録層から反射されるメインビームが照射されるとともに再生信号を生成するメインビーム用受光部より成る光検出器を備え、フォーカシング制御動作が行われていない信号記録層である不動作信号記録層から反射されるメインビームを前記メインビーム用受光部に集光させるようにしたことを特徴とするものである。
【００１４】
また、本発明は、不動作信号記録層から反射されるメインビームを前記メインビーム用受光部に集光させる回折格子を対物レンズに形成したことを特徴とするものである。
【００１５】
そして、本発明は、サブビーム用受光部及びメインビーム用受光部から得られる信号からトラッキングエラー信号を生成するようにしたことを特徴とするものである。
【発明の効果】
【００１６】
本発明の光ピックアップ装置は、フォーカシング制御動作が行われていない信号記録層である不動作信号記録層から反射されるメインビームである迷光をメインビーム用受光部に集光させるようにしたので、即ち迷光のサブビーム用受光部への照射動作を防止するとともに動作信号記録層から反射されてくるメインビームの光量に対して不動作信号記録層から反射されてくるメインビームの光量が小さいことを利用して迷光による影響を抑えたので、トラッキング制御動作を安定して行うことが出来る。
【００１７】
また、本発明の光ピックアップ装置は、不動作信号記録層から反射されるメインビームを前記メインビーム用受光部に集光させる回折格子を対物レンズに形成することによって迷光による影響を抑えるようにしたので、構成が簡単になるという利点を有している。
【００１８】
そして、本発明の光ピックアップ装置は、サブビーム用受光部及びメインビーム用受光部から得られる信号からトラッキングエラー信号を生成するようにしたので、トラッキング制御動作を正確に行うことが出来る。
【実施例】
【００１９】
図１は本発明に係る光ピックアップ装置を示す要部の斜視図、図２は本発明の動作を説明するための図、図３及び図４は本発明に係る光ピックアップ装置に組み込まれる光検出器とレーザー光との関係を説明するための図、図５は従来の光ピックアップ装置に組み込まれる光検出器とレーザー光との関係を説明するための図である。
【００２０】
まず、光ピックアップ装置の構成について図１を参照して説明する。図１において、１はレーザー駆動回路から供給される駆動信号に対応した出力のレーザー光Ｌ１を放射するレーザーダイオードであり、レーザー光Ｌ１は断面が楕円状のレーザー光である。
【００２１】
２は前記レーザーダイオード１から放射されるレーザー光Ｌ１が入射される回折格子であり、メインビームである０次光とサブビームである＋１次光及び−１次光より成るレーザー光Ｌ２を生成出射する作用を成すものである。
【００２２】
３は前記回折格子２から出射されるレーザー光Ｌ２が入射される偏光ビームスプリッタであり、光ディスク（図示せず）に照射されるレーザー光Ｌ３を透過させるとともにレーザー光の出力を制御するべく設けられているフロントモニターダイオード４へ照射されるモニター用レーザー光Ｌ４を反射させる反射膜３ａが設けられている。また、前記反射膜３ａは後述するように光ディスクから反射される戻り光を制御用レーザー光として反射させる作用も成すように構成されている。
【００２３】
５は前記偏光ビームスプリッタ３の反射膜３ａを透過したレーザー光Ｌ３が入射されるコリメータレンズであり、入射されるレーザー光Ｌ３を平行光であるレーザー光Ｌ５に変更する作用を成すものである。６は前記レーザー光Ｌ５が入射される反射ミラーであり、前記レーザー光Ｌ５の全てをレーザー光Ｌ６として光ディスク方向へ反射させる作用を成すものである。斯かる反射ミラー６は、一般的には立ち上げミラーと呼ばれている。
【００２４】
７は前記反射ミラー６から反射されたレーザー光Ｌ６が入射される１／４波長板であり、レーザー光Ｌ６の位相を１／４波長ずらせる作用を成すものである。８は前記１／４波長板７を透過したレーザー光Ｌ７が入射される対物レンズであり、光ディスクに設けられている信号記録層に絞ったレーザー光Ｌ８として集光させる作用を成すものである。また、前記対物レンズ８は、光ディスクの信号面に対して垂直方向への変位動作によってフォーカシング制御動作を行うとともに光ディスクの径方向への変位動作によってトラッキング制御動作を行うように構成されている。斯かる動作を行う対物レンズは、例えば４本の支持ワイヤーにて変位可能に設けられているが、斯かる構成は周知であるので、その説明は省略する。
【００２５】
前記対物レンズ８によって光ディスクの信号記録層に照射されたレーザー光Ｌ８は前記信号記録層から反射された戻り光として前記対物レンズ８に入射される。前記対物レンズ８に入射される戻り光は、前記１／４波長板７、反射ミラー６及びコリメータレンズ５を通して前記偏光ビームスプリッタ３に入射される。
【００２６】
このようにして、前記偏光ビームスプリッタ３に入射される戻り光の位相は前記１／４波長板７を往復透過するため、即ち２回透過するため、１／２波長だけずれることになる。このようにして位相がずれた戻り光が前記偏光ビームスプリッタ３に入射されると、該偏光ビームスプリッタ３に形成されている反射膜３ａによって制御用レーザー光Ｌ９として反射される。
【００２７】
９は前記偏光ビームスプリッタ３の反射膜３ａにて反射された制御用レーザー光Ｌ９が入射されるセンサーレンズであり、該制御用レーザー光Ｌ９をＰＤＩＣと呼ばれる光検出器１０に設けられている受光部に集光レーザー光Ｌ１０として照射させる作用を有している。
【００２８】
図１に示した光ピックアップ装置において、レーザーダイオード１から放射されるレーザー光Ｌ１は、回折格子２、偏光ビームスプリッタ３、コリメータレンズ５、反射ミラー６及び１／４波長板７を通して対物レンズ８に入射され、該対物レンズ８の集光動作によって光ディスクの信号記録層に照射されることになる。
【００２９】
前記信号記録層に照射されたレーザー光Ｌ８は該信号記録層から反射されて戻り光として対物レンズ８に入射される。前記対物レンズ８に入射された戻り光は、１／４波長板７、反射ミラー６及びコリメータレンズ５を介して偏光ビームスプリッタ３に入射される。
【００３０】
前記偏光ビームスプリッタ３に入射された戻り光は、該偏光ビームスプリッタ３に設けられている反射膜３ａによって制御用レーザー光Ｌ９として反射される。このようにして得られる制御用レーザー光Ｌ９はセンサーレンズ９に入射されるとともに集光レーザー光Ｌ１０として光検出器１０に設けられている受光部に照射される。
【００３１】
前記光検出器１０に設けられている受光部としては、図３に示すように０次光であるメインビームＭが照射されるとともに信号再生動作やフォーカシング制御動作に使用されるメインビーム用受光部ＭＤ、＋1次光である先行サブビームＳ１が照射されるとともにトラッキング制御動作に使用される先行サブビーム用受光部ＳＤ１及び−1次光である後行サブビームＳ２が照射されるとともにトラッキング制御動作に使用される後行サブビーム用受光部ＳＤ２にて構成されている。
【００３２】
前記メインビーム用受光部ＭＤ、先行サブビーム用受光部ＳＤ１及び後行サブビーム用受光部ＳＤ２は、図示したように各々４分割されたセンサーにて構成されている。そして、前記メインビーム用受光部ＭＤを構成する全センサーＡ、Ｂ、Ｃ、Ｄに照射されるメインビームの光量に応じた信号を加算することによって光ディスクに記録されている信号から再生信号として読み出すように構成されているが、斯かる動作は周知であり、その説明は省略する。
【００３３】
また、前記メインビーム用受光部ＭＤを構成する４分割センサーの中の対角関係にあるセンサーから得られる信号を加算するとともにこの加算信号から他方の対角関係にあるセンサーから得られる信号を加算信号した信号を減算することによってフォーカスエラー信号を生成させ、このフォーカスエラー信号を利用してフォーカシング制御動作を行うように構成されているが、斯かる動作は周知であり、その説明は省略する。
【００３４】
前述したようにメインビーム用受光部ＭＤより得られる信号による再生動作及びフォーカシング制御動作は行われるが、次にトラッキング制御動作について説明する。斯かるトラッキング制御動作は、先行サブビーム用受光部ＳＤ１への先行サブビームＳ１の照射動作及び後行サブビーム用受光部ＳＤ２への後行サブビームＳ２の照射動作によって行われる。
【００３５】
例えば、先行サブビーム用受光部ＳＤ１を構成する４分割センサーの中の上側にある２つのセンサーＩ、Ｊから得られる信号を加算するとともにこの加算信号から下側にある２つのセンサーＬ、Ｋから得られる信号を加算した信号を減算させて第１制御信号を得、また、後行サブビーム用受光部ＳＤ２を構成する４分割センサーの中の上側にある２つのセンサーＥ、Ｆから得られる信号を加算するとともにこの加算信号から下側にある２つのセンサーＨ、Ｇから得られる信号を加算した信号を減算させて第２制御信号を得、このようにして得られた第１制御信号と第２制御信号とを演算処理することによってトラッキングエラー信号を生成させるように構成されているが、斯かる動作も周知であり、その説明は省略する。
【００３６】
また、前述したトラッキング制御動作に加えて最近では、サブビームＳ１、Ｓ２だけでなくメインビームＭが照射されるメインビーム用受光部ＭＤから得られるトラッキングエラー信号を利用してトラッキング制御動作を行う方式、所謂差動プッシュプルと呼ばれる方式が精度向上のために採用されている。
【００３７】
斯かる方式におけるトラッキングエラー信号は、メインビーム用受光部ＭＤから得られるメイントラッキングエラー信号から先行サブビーム用受光部ＳＤ１及び後行サブビーム用受光部ＳＤ２から得られるサブトラッキングエラー信号を減算することによって得るように構成されている。
【００３８】
図示したセンサー部の符号を参照して説明する。メインのトラッキングエラー信号をＭＴＥとすると、ＭＴＥ＝（Ａ＋Ｂ）−（Ｃ＋Ｄ）となり、サブのトラッキングエラー信号をＳＴＥとすると、ＳＴＥ＝｛（Ｅ＋Ｆ）−（Ｇ＋Ｈ）｝＋｛（Ｉ＋Ｊ）−（Ｌ＋Ｋ）｝と表される。
【００３９】
そして、斯かる差動プッシュプル方式におけるトラッキング制御動作は、差動プッシュプル信号ＤＰＰに基づいて行われるが、このＤＰＰ信号は、ＤＰＰ＝ＭＴＥ−ｋ×ＳＴＥとして得られる。ここで、ｋは定数である。
【００４０】
このようにサブビームのみを使用したトラッキング制御動作やサブビームとメインビームとを組み合わせたトラッキング制御動作を行う光ピックアップ装置が開発されている。
【００４１】
また、前記レーザーダイオード１から放射されたレーザー光Ｌ１は、回折格子２によって回折されたレーザー光Ｌ２として偏光ビームスプリッタ３に入射されるが、その一部は反射膜３ａによって反射されてモニター用レーザー光Ｌ４としてフロントモニターダイオード４へ照射される。
【００４２】
前記フロントモニターダイオード４に照射されるモニター用レーザー光Ｌ４は、前記レーザーダイオード１から放射されるレーザー光Ｌ１の出力レベルに応じて変化することになる。従って、前記フロントモニターダイオード４によって生成されるモニター信号をレーザーダイオード１に駆動信号を供給するべく設けられている駆動回路に帰還させることによってレーザーダイオード１から放射されるレーザー光Ｌ１の出力を所定値になるように制御するレーザーサーボ動作を行うことが出来る。斯かるレーザーサーボ動作は、周知であり、その説明は省略する。
【００４３】
前述したようにメインビーム用受光部ＭＤより得られる信号からフォーカスエラー信号を生成させ、このフォーカスエラー信号に基づいてフォーカシング制御動作は行われるが、斯かるフォーカシング制御動作は対物レンズ８を光ディスクＤの信号面に対して垂直方向に変位させることによって行われる。
【００４４】
図２は光ディスクＤに設けられている第１信号記録層Ｌ０と第２信号記録層Ｌ１と対物レンズ８との関係を示すものであり、図示した状態は第１信号記録層Ｌ０にレーザー光Ｌ８を集光させた状態を示すものである。即ち、斯かる状態では、第１信号記録層Ｌ０にレーザー光Ｌ８が集光されており、該第１信号記録層Ｌ０に設けられている信号トラックに対するトラッキング制御動作が行われて該第１信号記録層Ｌ０に記録されている信号の再生動作が行われることになる。
【００４５】
第２信号記録層Ｌ１に記録されている信号の再生動作を行う場合には、対物レンズ８を図２に示した位置より下方へ変位させることによってレーザー光Ｌ８を該第２信号記録層Ｌ１に集光させることによって行われるが、斯かる各信号記録層に対する集光動作は周知であるので、その説明は省略する。
【００４６】
以上に説明したように本発明に係る光ピックアップ装置は、構成されているが、次に本発明の要旨、即ちトラッキング制御動作に対する迷光対策について説明する。
【００４７】
まず、従来の光ピックアップ装置における迷光による悪影響動作について説明する。図２に示すように第１信号記録層Ｌ０に記録されている信号の再生動作を行っているとき、該第１信号記録層Ｌ０には、回折格子２にて生成されたメインビームＭ、先行サブビームＳ１及び後行サブビームＳ２より成るレーザー光Ｌ８が照射された状態にある。
【００４８】
そして、斯かるメインビームＭ、先行サブビームＳ１及び後行サブビームＳ２は、各々前記第１信号記録層Ｌ０から反射された後、対物レンズ８、１／４波長板７、反射ミラー６及びコリメータレンズ５を通して偏光ビームスプリッタ３の反射膜３ａに入射される。このようにして入射されたレーザー光は、前述したように前記偏光ビームスプリッタ３の反射膜３ａにて反射され、制御用レーザー光Ｌ９としてセンサーレンズ９に入射される。
【００４９】
前記センサーレンズ９に入射された制御用レーザー光Ｌ９は、該センサーレンズ９の集光作用によって集光レーザー光Ｌ１０として光検出器１０に設けられている受光部に照射される。図３は、このようにして照射される集光レーザー光Ｌ１０と受光部との関係を示すものであり、同図より明らかなようにメインビームＭ、先行サブビームＳ１及び後行サブビームＳ２が各々メインビーム用受光部ＭＤ、先行サブビーム用受光部ＳＤ１及び後行サブビーム用受光部ＳＤ２上に照射されることになる。
【００５０】
このようにメインビームＭ、先行サブビームＳ１及び後行サブビームＳ２が各々メインビーム用受光部ＭＤ、先行サブビーム用受光部ＳＤ１及び後行サブビーム用受光部ＳＤ２上に照射される結果、第１信号記録層Ｌ０へのフォーカシング制御動作及び該第１信号記録層Ｌ０に設けられている信号トラックに対するトラッキング制御動作が行われる。従って、前記第１信号記録層Ｌ０に記録されている信号の再生動作を行うことが出来る。
【００５１】
前述したように対物レンズ８の集光動作によって光ディスクＤの第１信号記録層Ｌ０にレーザー光Ｌ８が照射されるが、このレーザー光Ｌ８の中のメインビームＭは、第２信号記録層Ｌ１から迷光として、図２の破線で示すように反射される。このようにして、第２信号記録層Ｌ１から反射される迷光は、第１信号記録層Ｌ０から反射されるレーザー光と同様に対物レンズ８、１／４波長板７、反射ミラー６、コリメータレンズ５を通して偏光ビームスプリッタ３の反射膜３ａに入射される。
【００５２】
このようにして偏光ビームスプリッタ３の反射膜３ａに入射された迷光は、該反射膜３ａにて反射された後、センサーレンズ９を通して光検出器１０に設けられている受光部に照射される。斯かる迷光は、第１信号記録層Ｌ０からの反射光のように集光されたレーザ
ー光ではないので、該センサーレンズ９によって受光部に集光されることはない。
【００５３】
図５は、前述したメインビーム用受光部ＭＤ、先行サブビーム用受光部ＳＤ１及び後行サブビーム用受光部ＳＤ２と迷光との関係を示すものであり、破線で示す円Ｐの内側の部分が迷光ビームの照射部分である。
【００５４】
この図より明らかなように迷光ビームが光検出器１０に設けられているメインビーム用受光部ＭＤ、先行サブビーム用受光部ＳＤ１及び後行サブビーム用受光部ＳＤ２上に照射されることになる。
【００５５】
メインビームである０次光とサブビームである＋１次光及び−１次光は、回折格子２によって生成されるが、その光量比、即ち１つのサブビームとメインビームの光量比は、一般に１対１５程度に設定されている。従って、第２信号記録層Ｌ１から迷光として反射されるサブビームの光量は、迷光として反射されるメインビームの光量と比較して十分に小さいので、トラッキング制御動作等に与える影響は無視することが出来る。
【００５６】
また、メインビーム用受光部ＭＤに照射されるメインビームＭの光量は、迷光ビームの光量よりも十分大きいので、メインビーム用受光部ＭＤによる信号生成動作、即ち第１信号記録層Ｌ０に記録されている信号の再生動作及びフォーカスエラー信号の生成動作等に悪影響を与えることはない。
【００５７】
一方、前述したように先行サブビーム用受光部ＳＤ１及び後行サブビーム用受光部ＳＤ２にトラッキングエラー信号を生成するために照射される先行サブビームＳ１及び後行サブビームＳ２の光量は、メインビームＭの光量より小さくなるように設定されている。そのため先行サブビーム用受光部ＳＤ１及び後行サブビーム用受光部ＳＤ２から得られる信号を増幅するべく設けられている増幅器の利得は、メインビーム用受光部ＭＤから得られる信号を増幅するべく設けられている増幅器の利得より高くなるように設定されている。
【００５８】
その結果、第２信号記録層Ｌ１から反射されるメインビームＭから生成される迷光が先行サブビーム用受光部ＳＤ１及び後行サブビーム用受光部ＳＤ２上に照射されることによって受ける影響が大きくなり、トラッキング制御動作が不安定になるという問題がある。
【００５９】
本発明は、斯かる問題を解決するために図２に示すように輪帯状の回折格子８ａを対物レンズ８に形成したことを特徴とするものである。本発明に係る回折格子８ａは、フォーカシング制御動作が行われていない信号記録層である不動作信号記録層、即ち第２信号記録層Ｌ１から戻り光として反射されるメインビームをメインビーム用受光部ＭＤに集光させるように形成されている。
【００６０】
図４は本発明に係る回折格子８ａが形成された対物レンズを使用した場合における光検出器１０に設けられているメインビーム用受光部ＭＤ、先行サブビーム用受光部ＳＤ１及び後行サブビーム用受光部ＳＤ２とレーザー光との関係を示すものであり、破線で示す円ＰＭの内側が迷光ビームの照射部分である。
【００６１】
同図より明らかなように迷光ビームが先行サブビーム用受光部ＳＤ１及び後行サブビーム用受光部ＳＤ２に照射されることはなく、先行サブビーム用受光部ＳＤ１及び後行サブビーム用受光部ＳＤ２によるトラッキングエラー信号の生成動作に悪影響を与えることはない。また、メインビーム用受光部ＭＤには動作信号記録層である第１信号記録層Ｌ０から反射されるメインビームＭと不動作信号記録層である第２信号記録層Ｌ１からの戻り光である迷光ビームが照射されるが、メインビームＭの光量と迷光ビームの光量との間には大きな光量差があるため、メインビーム用受光部ＭＤによる検出動作に対して迷光ビーム
は何等悪影響を与えることはない。
【００６２】
尚、本実施例では、第２信号記録層Ｌ１から反射されるメインビームの迷光を回折する回折格子８ａについて説明したが、該第２信号記録層Ｌ１に対するフォーカシング制御動作が行われているとき、即ち第２信号記録層Ｌ１が動作信号記録層の場合には不動作信号記録層となる第１信号記録層Ｌ０から反射されるメインビームの迷光を回折する回折格子も形成されていることは勿論である。
【００６３】
また、本実施例では、２層式の光ディスクに記録されている信号の読み出し動作を行う光ピックアップ装置に実施した場合について説明したが、３層以上の信号記録層が設けられている多層式光ディスクに記録されている信号の読み出し動作を行う光ピックアップ装置に実施することも出来る。
【図面の簡単な説明】
【００６４】
【図１】本発明に係る光ピックアップ装置を示す要部の斜視図である。
【図２】本発明の動作を説明するための図である。
【図３】本発明に係る光ピックアップ装置に組み込まれる光検出器とレーザー光との関係を説明するための図である。
【図４】本発明に係る光ピックアップ装置に組み込まれる光検出器とレーザー光との関係を説明するための図である。
【図５】従来の光ピックアップ装置に組み込まれる光検出器とレーザー光との関係を説明するための図である。
【符号の説明】
【００６５】
１      レーザーダイオード
２      回折格子
３      偏光ビームスプリッタ
８      対物レンズ
８ａ    回折格子
９      センサーレンズ
１０    光検出器
ＭＤ    メインビーム用受光部
ＳＤ１  先行ビーム用受光部
ＳＤ２  後行ビーム用受光部
【図１】
2008269706.tif 000003
【図２】
2008269706.tif 000004
【図３】
2008269706.tif 000005
【図４】
2008269706.tif 000006
【図５】
2008269706.tif 000007